(57)【要約】      （修正有）【課題】重要寸法の計測精度を向上できるレンズ付きフェルールを提供する。【解決手段】レンズ付きフェルール３１は、複数のレンズ９４の位置計測基準となるレンズ位置基準面としての底面９９Ｌ，９９Ｒと、スリット９７の位置計測基準となるスリット位置基準面としての底面１０５Ｌ，１０５Ｒとを備える。レンズ位置基準面の底面９９Ｌ，９９Ｒ及びスリット位置基準面の底面１０５Ｌ，１０５Ｒは、挿通孔９５を含む位置にてそれぞれＭＴフェルールとの接続方向に沿って突合せ面９１から異なる深さで掘り下げて設けられる。【選択図】図２
2020042138.tif 000002
【特許請求の範囲】
【請求項１】
他のフェルールと接続するレンズ付きフェルールであって、
接続時に前記他のフェルールと接触する突合せ面に形成された凹部に設けられる複数のレンズと、
前記突合せ面と反対側の挿入面に形成され、光導波路が挿入されるスリットと、
前記突合せ面に設けられ、前記他のフェルールとの位置決めを行うためのガイドピンが挿通される挿通孔と、
前記複数のレンズの位置計測基準となるレンズ位置基準面と、
前記スリットの位置計測基準となるスリット位置基準面と、を備え、
前記レンズ位置基準面及び前記スリット位置基準面は、前記挿通孔を含む位置にてそれぞれ前記突合せ面から前記他のフェルールとの接続方向に異なる深さで掘り下げて設けられる、
レンズ付きフェルール。
【請求項２】
前記凹部は、前記複数のレンズが設けられる中央側底面と、前記挿通孔が設けられ、前記レンズ位置基準面となる外側底面とを有し、
前記レンズ位置基準面は、前記複数のレンズの頂部と同一平面上に設けられる、
請求項１に記載のレンズ付きフェルール。
【請求項３】
前記スリットの端部と重なる位置に設けられ、前記突合せ面から前記端部が露出する深さまで掘り下げて形成される溝と、
前記突合せ面から前記溝と同じ深さまで掘り下げた位置に形成され、前記挿通孔の中心と交差する側部切り欠きと、
を備え、
前記スリット位置基準面は、前記側部切り欠きの底面である、
請求項１または２に記載のレンズ付きフェルール。
【請求項４】
前記スリットの中央部と重なる位置に設けられ、前記突合せ面から前記中央部が露出する深さまで掘り下げた位置に形成される中央切り欠きを備える、
請求項３に記載のレンズ付きフェルール。
【請求項５】
前記側部切り欠きと前記溝との境界部に前記側部切り欠きの底面から突出して設けられ、前記側部切り欠きと前記溝とを区分する突起を備える、
請求項３または４に記載のレンズ付きフェルール。
【請求項６】
前記側部切り欠きと交差し、かつ、前記挿通孔の中心と交差して設けられ、前記突合せ面から前記側部切り欠きと同じ深さまで掘り下げて形成される縦切り欠きを備える、
請求項３〜５のいずれか１項に記載のレンズ付きフェルール。
【発明の詳細な説明】
【技術分野】
【０００１】
本開示は、レンズ付きフェルールに関する。
【背景技術】
【０００２】
スーパーコンピュータ、ハイエンドサーバなど高速インタフェースの通信では、光通信が普及しつつある。特に、ＩＢＴＡ  ＥＤＲ（登録商標）、１００Ｇ  Ｅｔｈｅｒｎｅｔ（登録商標）などの規格で検討されている次世代インタフェースは、伝送距離が数十ｍと長いため、光通信が用いられ電気信号を光信号に変換する光モジュールが用いられている。光モジュールは、例えば、光ケーブルとサーバー等とを接続する際に用いられ、光ケーブルから入力した光信号を電気信号に変換してサーバー等に出力し、サーバー等から入力した電気信号を光信号に変換して光ケーブルへと出力する。
【０００３】
光モジュールには、光ケーブルと光導波路とを連結する光コネクタが設けられる。光コネクタは、光ケーブルに接続されるＭＴフェルールと、光導波路に接続されるレンズ付きフェルールとを接続して構成される（例えば特許文献１）。
【先行技術文献】
【特許文献】
【０００４】
【特許文献１】特開２０１５−２２１２５号公報
【発明の概要】
【発明が解決しようとする課題】
【０００５】
光導波路と光ケーブルの中心線がずれると、光ケーブルへの集光効率が低下して光伝送効率が低下する虞がある。このため、レンズ付きフェルールとＭＴフェルールとの接続部分には高い寸法精度が求められる。
【０００６】
本開示は、計測精度を向上できるレンズ付きフェルールを提供することを目的とする。
【課題を解決するための手段】
【０００７】
本発明の実施形態の一観点に係るレンズ付きフェルールは、他のフェルールと接続するレンズ付きフェルールであって、接続時に前記他のフェルールと接触する突合せ面に形成された凹部に設けられる複数のレンズと、前記突合せ面と反対側の挿入面に形成され、光導波路が挿入されるスリットと、前記突合せ面に設けられ、前記他のフェルールとの位置決めを行うためのガイドピンが挿通される挿通孔と、前記複数のレンズの位置計測基準となるレンズ位置基準面と、前記スリットの位置計測基準となるスリット位置基準面と、を備え、前記レンズ位置基準面及び前記スリット位置基準面は、前記挿通孔を含む位置にてそれぞれ前記突合せ面から前記接続方向に異なる深さで掘り下げて設けられる。
【発明の効果】
【０００８】
本開示によれば、重要寸法の計測精度を向上できるレンズ付きフェルールを提供することができる。
【図面の簡単な説明】
【０００９】
【図１】光モジュールの分解斜視図
【図２】実施形態に係るレンズ付きフェルールの斜視図
【図３】レンズ付きフェルールの正面図
【図４】レンズ付きフェルールの側面図
【図５】図４中のＩ−Ｉ断面図
【図６】図３中のＩＩ−ＩＩ断面図
【図７】図３中のＩＩＩ−ＩＩＩ断面図
【図８】外側底面をレンズ位置基準面として用いたレンズ位置計測を説明する図
【図９】側部切り欠きの底面をスリット位置基準面として用いたスリット位置計測を説明する図
【図１０】ガイドピンが装着されたレンズ付きフェルールの斜視図
【図１１】レンズ付きフェルールとＭＴフェルールとの接続状態の斜視図
【図１２】第１変形例に係るレンズ付きフェルールの斜視図
【図１３】第１変形例のレンズ付きフェルールとＭＴフェルールとの接続状態の斜視図
【図１４】第２変形例に係るレンズ付きフェルールの斜視図
【図１５】第２変形例に係るレンズ付きフェルールの正面図
【発明を実施するための形態】
【００１０】
以下、添付図面を参照しながら実施形態について説明する。説明の理解を容易にするため、各図面において同一の構成要素に対しては可能な限り同一の符号を付して、重複する説明は省略する。
【００１１】
［実施形態］
図１〜図１１を参照して実施形態について説明する。まず図１を参照して、本実施形態に係るレンズ付きフェルール３１が適用される光モジュール１の構成を説明する。図１は光モジュール１の分解斜視図である。
【００１２】
以下では、光モジュール１の各構成要素の形状や位置関係の説明の際に、相互に直交する３軸（ｘ軸、ｙ軸、ｚ軸）を基準とする。図１に示すように、ｘ軸は光モジュール１の長手方向であり、ｙ軸は光モジュール１の幅方向であり、ｚ軸は光モジュール１の部品の積層方向である。ｚ軸が上下方向であり、ｚ軸正側の面が上面、ｚ軸負側の面が下面である。
【００１３】
図１に示すように、光モジュール１は、プリント基板１０、光導波路２０、フェルール３０、クリップ４０が、下カバー５１と上カバー５２を備える筐体に入れられており、光ケーブル６０が接続されている。上カバー５２及び下カバー５１は、例えば亜鉛ダイカストである。光ケーブル６０は、複数の光ファイバーを有する多心の光ケーブルである。
【００１４】
プリント基板１０には、ＦＰＣ１２が接続されるＦＰＣコネクタ１１が設けられている。ＦＰＣ１２の上面には、電気信号を光信号に変換するＶＣＳＥＬ（Ｖｅｒｔｉｃａｌ  Ｃａｖｉｔｙ  Ｓｕｒｆａｃｅ  Ｅｍｉｔｔｉｎｇ  ＬＡＳＥＲ）等の発光素子１３、光信号を電気信号に変換するフォトダイオード等の受光素子１４、発光素子１３を駆動する駆動ＩＣ１５、及び、受光素子１４からの電流を電圧に変換するＴＩＡ１６が搭載されている。また、プリント基板１０のｘ軸正側端部には、外部との接続のための接続端子１７が設けられている。プリント基板１０は、下カバー５１に設置される。
【００１５】
なお本実施形態では、発光素子１３及び受光素子１４を纏めて「光電変換素子」とも表記する。また、駆動ＩＣ１５及びＴＩＡ１６を纏めて「半導体素子」とも表記する。
【００１６】
光導波路２０はフレキシブルなシート状の光導波路でありｘ軸方向に延在する。光導波路２０のｘ軸正側端部はＦＰＣ１２に接続されている。また、光導波路２０のｘ軸負側端部はレンズ付きフェルール３１に接続されており、光導波路２０とレンズ付きフェルール３１の接続部分は不図示のフェルールブーツにより保護されている。
【００１７】
フェルール３０は、レンズ付きフェルール３１とＭＴフェルール３２（他のフェルール）を有する。レンズ付きフェルール３１とＭＴフェルール３２とは、ｘ軸に沿って接続された状態でクリップ４０により挟まれ固定される。ＭＴフェルール３２は、多心の光ファイバーを一括接続できるＭＴ（Ｍｅｃｈａｎｉｃａｌｌｙ  Ｔｒａｎｓｆｅｒａｂｌｅ）型のフェルールであり、レンズ付きフェルール３１はＭＴフェルール３２に対応した高密度化が図られたフェルールである。例えば、ＱＳＦＰ（Ｑｕａｄ  Ｓｍａｌｌ  Ｆｏｒｍ  ｆａｃｔｏｒ  Ｐｌｕｇｇａｂｌｅ）タイプの光コネクタは、ＭＴフェルール３２とレンズ付きフェルール３１を有しており、ＭＴフェルール３２とレンズ付きフェルール３１を突き合わせることにより、ＭＴフェルール３２に接続された光ケーブル６０とレンズ付きフェルール３１に接続された光導波路とが接続される。
【００１８】
フェルール３０は、下カバー５１に設置される。クリップ４０には２カ所のねじ穴４０ａが設けられており、下カバー５１に設けられた２カ所の雌ねじ部５１ａにねじ５３によりねじ止めされている。クリップ４０を下カバー５１にねじ止めすることにより、フェルール３０はクリップ４０を介し下カバー５１に固定される。
【００１９】
ＦＰＣ１２は、上下方向から上側インナケース８１及び下側インナケース８２により挟み込まれている。上側インナケース８１がＦＰＣ１２の上面を覆い、下側インナケース８２がＦＰＣ１２の下面を覆っている。上側インナケース８１及び下側インナケース８２はＦＰＣ１２より硬く、かつ放熱特性の高い材料で形成される。
【００２０】
ＦＰＣ１２の上面には放熱シート８３が設置されている。放熱シート８３は、光電変換素子や半導体素子が発生する熱を上カバー５２へ伝導して放熱する。放熱シート８３は少なくとも光電変換素子及び半導体素子の上面に接触してこれらを覆うことができる大きさに形成されている。放熱シート８３は、上側インナケース８１とＦＰＣ１２との間に挿入されている。放熱シート８３は、例えばシリコン材料を主成分とし柔軟性を有する。
【００２１】
ＦＰＣ１２と下側インナケース８２との間には、電波吸収シート８４が設置されている。電波吸収シート８４は、ＦＰＣ１２の下面に接続されている光導波路２０と重ならないように切欠きが設けられている。
【００２２】
上側インナケース８１の下面には、放熱シート８３、ＦＰＣ１２上の光電変換素子や半導体素子を嵌め込み可能な不図示の凹部が設けられている。上側インナケース８１及び下側インナケース８２の端部には、それぞれ２つの貫通孔８１ａ，８２ａが設けられる。
【００２３】
上側インナケース８１、放熱シート８３、ＦＰＣ１２、電波吸収シート８４、下側インナケース８２はこの順で積層されて上カバー５２に固定されている。上側インナケース８１の凹部に放熱シート８３及びＦＰＣ１２が嵌め込まれ、ＦＰＣ１２の下面に電波吸収シート８４が配置され、さらに下側インナケース８２が重ねられている。そして、上側インナケース８１の貫通孔８１ａと下側インナケース８２の貫通孔８２ａとが、ねじ８５により上カバー５２の下面に設けられた雌ねじ部５２ｃに締結される。
【００２４】
下側インナケース８２とプリント基板１０との間には板バネ８６が設置されている。板バネ８６は、下側インナケース８２の略中央部、好ましくは放熱シート８３の真下に配置され、下側インナケース８２とプリント基板１０とに挟まれて、上カバー５２側に押圧力を加えている。
【００２５】
光ケーブル６０のＭＴフェルール３２と接続される端部近傍には、上下よりケーブルブーツ７１、７２が被せられ、更にラッチ７３が取り付けられている。
【００２６】
下カバー５１にフェルール３０がクリップ４０により固定され、プリント基板１０が載置されている状態で、ＦＰＣ１２などが固定された上カバー５２が被せられ、上カバー５２のねじ穴５２ａと下カバー５１の雌ねじ部５１ｂとがねじ５４によりねじ止めされる。
【００２７】
次に、図２〜図７を参照して、レンズ付きフェルール３１の構成について説明する。図２はレンズ付きフェルール３１の斜視図である。図３はレンズ付きフェルール３１の正面図である。図４はレンズ付きフェルール３１の側面図である。図５は図４のＩ−Ｉ断面図である。図６は図３のＩＩ−ＩＩ断面図である。図７は図３のＩＩＩ−ＩＩＩ断面図である。
【００２８】
図２、図３に示すように、レンズ付きフェルール３１はｘ軸負側端部に、ＭＴフェルール３２と接触する突合せ面９１を有している。レンズ付きフェルール３１は、ｘ軸に沿ってＭＴフェルール３２と接続する。突合せ面９１は２つの凹部９２Ｌ，９２Ｒを有しており、凹部９２Ｌ，９２Ｒの中央側の底面９３Ｌ，９３Ｒ（中央側底面）には複数のレンズ９４が形成されている。レンズ９４はｙ軸方向に直線状に配置されている。凹部９２Ｌ，９２Ｒは突合せ面９１から掘り下げて形成される。
【００２９】
レンズ付きフェルール３１はＣＯＰ（シクロオレフィンポリマー）やＰＢＳ（ポリブチレンサクシネート）等の透明樹脂により形成されており、レンズ９４はレンズ付きフェルール３１の成形時に同時に形成される。レンズ９４は、底面９３Ｌ，９３Ｒから突出する半球状の凸部として形成される。
【００３０】
レンズ９４の形成位置は、ＭＴフェルール３２に形成された、光ケーブル６０の先端が位置する小孔の配設位置と対応するよう設定されている。また、レンズ９４形成位置の両側部には、ＭＴフェルール３２とレンズ付きフェルール３１との位置決めを行うガイドピン１１０が挿通される挿通孔９５が形成されている。挿通孔９５は、図５に示すように、突合せ面９１と挿入面９６との間に貫通している。
【００３１】
図２、図４に示すように、レンズ付きフェルール３１は、突合せ面９１の反対側に挿入面９６を有する。図５、図６、図７に示すように、挿入面９６には、フェルール３１の内部に向けて刳り抜かれたスリット９７が形成されている。スリット９７には光導波路２０が挿入される。
【００３２】
図６、図７に示すように、スリット９７は挿入面９６付近がｚ軸方向に最も広く、ｘ軸負側に進むにつれて徐々に狭くなる。スリット９７の突き当たりは底面９８（スリット底面）となっており、底面９８の近傍がｚ軸方向に最も狭い。スリット９７の上面及び下面は、ｘ軸負側に進むにつれて傾斜しており、スリット９７の奥に進むにつれて相互に近づく。スリット９７の挿入面９６近傍の入口部分には、光導波路２０を保持するゴムブーツが嵌め込まれる。
【００３３】
レンズ付きフェルールでは、レンズと光導波路のコアとの位置が許容範囲に入っている必要がある。そのため、製品の品質検査の目的で、光導波路が差し込まれるスリットの位置やレンズの位置を検査し、レンズ付きフェルールの重要な部分の寸法精度が確保されているかどうかが確認される。
【００３４】
レンズ付きフェルールは、ＭＴフェルールと接続される際に、突合せ面に形成された挿通孔に挿通される位置決め用のガイドピンが用いられる。そのため、レンズ付きフェルールの各部の位置を計測する際の基準として、ガイドピンの挿通孔の位置を用いることができる。
【００３５】
例えば、レンズ付きフェルールを突き当て面側から撮像することで、レンズやスリットの位置を判別することが可能である。また、レンズの両側に設けられた挿通孔の中心位置とレンズの中心とを検出して、レンズ位置の誤差を判別することもできる。しかし、レンズの端面およびスリットの端面がレンズ付きフェルールの突き当て面とは異なる面に設けられていると、画像の撮像方向に対するフェルールの傾きにより、レンズやスリットと計測基準である挿通孔との間にずれが生じて計測精度が低下するおそれがある。
【００３６】
また、突き当て面からレンズ付きフェルールを撮像した場合、スリットの先端面である底面９８とレンズの土台に当たる底面９３Ｌ，９３Ｒとの距離や、レンズ土台とフェルール端面の突合せ面９１とのｘ軸方向の距離は計測が困難である。
【００３７】
以下、このような問題を生じることなく、各部の計測が可能となるレンズ付きフェルールの構成を説明する。
【００３８】
図２、図３に示すように、凹部９２Ｌ，９２Ｒの中央にはｚ軸方向に延びる溝１００Ｌ，１００Ｒが形成されている。凹部９２Ｌ，９２Ｒの底面は溝１００Ｌ，１００Ｒによってｙ方向に区分されており、溝１００Ｌ，１００Ｒよりフェルールの中心側が底面９３Ｌ，９３Ｒであり、溝１００Ｌ，１００Ｒより外側が底面９９Ｌ，９９Ｒ（外側底面）である。
【００３９】
底面９９Ｌ，９９Ｒは挿通孔９５の中心ＳＬ１，ＳＲ１が含まれるように形成される。底面９９Ｌ，９９Ｒは、複数のレンズ９４の位置計測基準となる「レンズ位置基準面」であり、挿通孔９５の中心ＳＬ１，ＳＲ１を基準としてレンズ位置が計測される。底面９９Ｌ，９９Ｒは底面９３Ｌ，９３Ｒと平行であり、図５に示すように、レンズ９４の頂部と同一平面上、すなわちレンズ９４頂部のｘ軸方向の位置と同じ位置となるよう形成される。
【００４０】
溝１００Ｌ，１００Ｒは、突合せ面９１から底面９３Ｌ，９３Ｒ及び底面９９Ｌ、９９Ｒより深く形成される。図５、図６に示すように、溝１００Ｌ，１００Ｒの底面１０１Ｌ，１０１Ｒは、スリットの底面９８よりもｘ軸正側となるよう形成される。また、図３、図５に示すように、溝１００Ｌ，１００Ｒはスリット９７幅方向の両端部と重なる位置に形成される。溝１００Ｌ，１００Ｒは、スリット９７の端部が露出する深さまで掘り下げて設けられる。これにより、図２、図３に示すように、溝１００Ｌ，１００Ｒの底面１０１Ｌ，１０１Ｒにはスリット９７の幅方向両端部が露出する。また、図６に示すように、溝１００Ｌ，１００Ｒの側面には、底面９８を含むスリット９７の先端が露出する。ここで「スリット９７の両端部」とはスリット９７のｙ軸方向の左右端をいう。
【００４１】
図２、図３に示すように、底面９３Ｌ，９３Ｒの幅方向中央側の端部かつ上下方向の中央部には切り欠き１０２Ｌ，１０２Ｒ（中央切り欠き）が形成されている。切り欠き１０２Ｌ，１０２Ｒはスリット９７の中央部と重なる位置に設けられ、図５、図７に示すようにスリット９７の中央部が露出する深さまで掘り下げて形成される。これにより、図３に示すように、切り欠き１０２Ｌ，１０２Ｒの底面１０３Ｌ，１０３Ｒにはスリット９７が露出する。ここで「スリット９７の中央部」とは、スリット９７のｙ軸方向の全長の中心位置（図９のｙ軸、ｚ軸の交点）からｙ軸方向に沿って切り欠き１０２Ｌ，１０２Ｒに露出する部分までを含む区間をいう。
【００４２】
図２〜図４に示すように、溝１００Ｌ，１００Ｒより外側の突合せ面９１には、切り欠き１０４Ｌ，１０４Ｒ（側部切り欠き）が形成されている。切り欠き１０４Ｌ，１０４Ｒは、図５に示すように突合せ面９１から溝１００Ｌ，１００Ｒと同じ深さまで掘り下げて形成される。図４、図５に示すように、切り欠き１０４Ｌ，１０４Ｒはその最深部の底面１０５Ｌ，１０５Ｒが底面９８よりもｘ軸正側となるよう形成される。
【００４３】
図２、図３に示すように、切り欠き１０４Ｌ，１０４Ｒは、ｙ軸に平行に、かつ挿通孔９５と交差して設けられる。切り欠き１０４Ｌ，１０４Ｒの底面１０５Ｌ，１０５Ｒは、挿通孔９５の中心ＳＬ２，ＳＲ２が含まれるよう形成される。底面１０５Ｌ，１０５Ｒは、スリット９７の位置計測基準となる「スリット位置基準面」であり、底面１０５Ｌ，１０５Ｒにおける挿通孔９５の中心ＳＬ２，ＳＲ２を基準としてスリット位置が計測される。
【００４４】
図８、図９を参照して、本実施形態におけるレンズ位置とスリット位置の計測について説明する。
【００４５】
図８は、底面９９Ｌ，９９Ｒをレンズ位置基準面として用いたレンズ位置計測を説明する図である。図８（Ａ）はｙｚ座標を図示したレンズ付きフェルール３１の正面図である。図８（Ａ）では、レンズ位置基準面である底面９９Ｌ，９９Ｒにハッチングを付している。図８（Ｂ）は、ｙｚ座標における測定寸法を模式的に示す。図８（Ａ）では、底面９９Ｌ，９９Ｒを通るｙｚ座標が定められる。ｙ軸は、底面９９Ｌ，９９Ｒ上の２つの挿通孔９５の中心ＳＬ１，ＳＲ１を通る。ｚ軸は、２つの挿通孔９５の中心ＳＬ１，ＳＲ１から等距離の中間位置、すなわちレンズ付きフェルール３１のｙ方向の中心位置を通る。
【００４６】
図８（Ａ）に示すように、複数のレンズ９４は、設計上では２つの挿通孔９５の中心ＳＬ１，ＳＲ１を結ぶｙ軸に沿って直線状に配置され、各レンズ９４の中心がｙ軸上に配置される。ここで、任意の１つのレンズ９４を考えると、挿通孔９５の中心ＳＬ１，ＳＲ１とレンズ９４との幾何的関係は図８（Ｂ）のようになる。レンズ９４の設計上の中心位置αｄはｙ軸上であり、中心ＳＬ１，ＳＲ１からのｙ軸方向の距離はＡｄ、ｚ軸方向の距離は０である。これに対して、計測により求められるレンズ９４の中心αは、中心ＳＬ１，ＳＲ１を基準として、中心ＳＬ１，ＳＲ１からのｙ軸方向の距離Ａ、ｚ軸方向の距離Ｂであるものとする。設計上の寸法と計測された寸法とから、ｙ軸方向およびｚ軸方向のレンズ９４のずれを判定することができ、例えば、距離Ａと距離Ａｄとの差分と、距離Ｂの大きさが許容範囲内にあるときに、レンズ位置は正常と判断することができる。
【００４７】
図９は、底面１０５Ｌ，１０５Ｒをスリット位置基準面として用いたスリット位置計測を説明する図である。図９（Ａ）はｙｚ座標を図示したレンズ付きフェルール３１の正面図である。図９（Ａ）では、スリット位置基準面である底面１０５Ｌ，１０５Ｒにハッチングを付している。図９（Ｂ）はｙｚ座標における測定寸法を模式的に示す。図９（Ａ）では、底面１０５Ｌ，１０５Ｒを通るｙｚ座標が定められる。ｙ軸は底面１０５Ｌ，１０５Ｒ上の２つの挿通孔９５の中心ＳＬ２，ＳＲ２を通る。ｚ軸は、２つの挿通孔９５の中心ＳＬ２，ＳＲ２から等距離の中間位置、すなわちレンズ付きフェルール３１のｙ方向の中心位置を通る。
【００４８】
スリット９７と挿通孔９５の中心ＳＬ２，ＳＲ２との幾何的関係は図９（Ｂ）のようになる。スリット９７は、設計上ではｙ軸方向の両端が中心ＳＬ２，ＳＲ２からそれぞれ同一の距離にあり、ｚ軸両端の位置がｙ軸を中心として同一となる。これに対して、計測により、スリット９７の形状は、中心ＳＬ２，ＳＲ２を基準として一方の挿通孔９５の中心ＳＬ２からスリット９７のｙ負側の端部までの距離Ｃと、中心ＳＬ２からスリット９７のｚ正側の端部までの距離Ｄと、他方の挿通孔９５の中心ＳＲ２からスリット９７のｙ軸正側の端部までの距離Ｅと、中心ＳＲ２からスリット９７のｚ負側の端部との距離Ｆが得られたものとする。設計上と計測されたスリットの寸法を対比することで、スリットのｙ軸方向およびｚ軸方向の位置を判定することができる。例えば、距離Ｃと距離Ｅとの偏差と、距離Ｄと距離Ｆとの偏差とが許容範囲内にあるときに、スリット位置は正常と判断することができる。
【００４９】
次に本実施形態の作用効果を説明する。レンズ位置やスリット位置などの製品の寸法を計測する場合、計測対象であるレンズ９４やスリット９７のｘ軸の位置と計測基準である突合せ面９１のｘ軸の位置とが異なるため、突合せ面９１側からの撮像画像を用いてスリット９７の位置と挿通孔９５の中心位置とを検出する際に画像の撮像方向に対してフェルールが傾くと、上記の通り計測対象と計測基準との間にずれが生じて計測精度が低下する。
【００５０】
これに対し、本実施形態では、レンズ位置基準面とスリット位置基準面とが突合せ面９１からｘ軸負方向に異なる深さで掘り下げて設けられる。より詳細には、レンズ９４の頂部と同一平面上となる位置に形成された底面９９Ｌ、９９Ｒが、レンズ位置基準面として用いられる。また、スリット９７の幅方向の端部が露出する溝１００Ｌ，１００Ｒの底面１０１Ｌ，１０１Ｒと同一平面上となる位置に形成された、切り欠き１０４Ｌ，１０４Ｒの底面１０５Ｌ，１０５Ｒが、スリット位置基準面として用いられる。
【００５１】
この構成により、計測対象と計測基準とを同一平面上に配置することができるので、レンズ９４位置に関する図８の距離Ａ，Ｂなどのパラメータと、スリット９７の位置に関する図９の距離Ｃ〜Ｆなどのパラメータとを精度良く計測することが可能となり、製品の重要寸法の計測精度を向上できる。また、計測対象と計測基準とが同一平面上にあると、計測時にフェルールの設置位置や方向が多少ずれたとしても計測精度低下の影響が少ないので、計測精度を担保するためのフェルールの設置位置や方向などに高い要求がなく、より簡易に計測ができる。
【００５２】
また、切り欠き１０４Ｌ，１０４Ｒを設けることによって、図４に示すようにレンズ付きフェルール３１をｙ方向から視ると、底面９３Ｌ，９３Ｒと底面９８が露出する。これにより、スリット先端面となる底面９８とレンズ土台となる底面９３Ｌ，９３Ｒとの距離や、レンズ土台とフェルール端面となる突合せ面９１との距離を容易に計測できる。
【００５３】
また本実施形態では、スリット９７の中央部が切り欠き１０２Ｌ，１０２Ｒに露出しているので、中央部のｚ軸方向位置（図９参照）を容易に計測できる。ここで「スリット９７の中央部」とは、スリット９７のｙ軸方向の全長の中心位置（図９のｙ軸、ｚ軸の交点）からｙ軸方向に沿って切り欠き１０２Ｌ，１０２Ｒに露出する部分までを含む区間をいう。また、スリット９７の幅方向（ｙ軸方向）の両端部が溝１００Ｌ，１００Ｒに露出しているので、両端部のｚ軸方向位置（図９参照）も容易に計測できる。そして、計測したスリット９７の中央部と両端部のｚ軸方向位置を比較することにより、スリット９７の幅方向がｙ方向に平行に形成されているか、湾曲などの変形が無いか、などを確認することができ、製品の検査精度を向上できる。
【００５４】
光導波路２０はスリット９７に接着剤で固定される。本実施形態では溝１００Ｌ，１００Ｒによってスリット９７が突合せ面９１側に露出しているため、スリット９７から漏れ出した接着剤が切り欠き１０４Ｌ，１０４Ｒを通って挿通孔９５に流入する虞がある。この点に対して本実施形態では、図２〜４、図５に示すように、切り欠き１０４Ｌ，１０４Ｒの溝１００Ｌ，１００Ｒとの境界部分には、底面１０５Ｌ，１０５Ｒからｘ負側に突出する突起１０６Ｌ，１０６Ｒが設けられる。突起１０６Ｌ，１０６Ｒは溝１００Ｌ，１００Ｒとの境界にて切り欠き１０４Ｌ，１０４Ｒのｚ方向全体、かつ底部からｘ軸負側の任意の位置までを塞ぎ、切り欠き１０４Ｌ，１０４Ｒと溝１００Ｌ，１００Ｒとを区分する。この構成により、フェルール３０の組立作業中にスリット９７から接着剤が漏れ出したとしても、接着剤が切り欠き１０４Ｌ，１０４Ｒを通って挿通孔９５に流入することを防止できる。
【００５５】
また、突合せ面９１では、二つの凹部９２Ｌ，９２Ｒが幅方向に並んで配置されるため、突合せ面９１の幅方向中央には凹部がなく、ｚ方向にリブ１０７を渡したような形状となる。これにより、突合せ面９１が露出している状態で凹部９２Ｌ，９２Ｒに異物が飛んできても、レンズ９４より先にリブ１０７に当たるので、レンズ９４が異物と接触するのを防止でき、レンズ９４を良好に保護できる。
【００５６】
また、図２、図３、図５に示すように、挿通孔９５の内周面のうち切り欠き１０４Ｌ，１０４Ｒに対するｚ軸両端には、ｘ軸負側に突合せ面９１まで突出する突出面１０８Ｌ，１０８Ｒが設けられる。これにより、ＭＴフェルール３２と接続されたときにＭＴフェルール３２との隙間を小さくできる。
【００５７】
図１０は、ガイドピン１１０が装着されたレンズ付きフェルール３１の斜視図である。図１１は、レンズ付きフェルール３１とＭＴフェルール３２との接続状態の斜視図である。
【００５８】
切り欠き１０４Ｌ，１０４Ｒを設けると、ＭＴフェルール３２との接続部分が外部と連通して防水性の問題が考えられる。しかし、本実施形態のように切り欠き１０４Ｌ，１０４Ｒを挿通孔９５の中心と重なり、かつ挿通孔９５の径よりｚ方向の寸法を小さくすることにより、図１０に示すように、ガイドピン１１０によって切り欠き１０４Ｌ，１０４Ｒによる内部への連通部分を塞ぐことができる。
【００５９】
また、レンズ付きフェルール３１がＭＴフェルール３２と接続されるときは、図１１に示すように突合せ面９１がＭＴフェルール３２の当接面と密着し、ガイドピン１１０はＭＴフェルール３２側の挿通孔に挿通される。したがって、ＭＴフェルール３２との接続時に切り欠き１０４Ｌ，１０４Ｒによる外部に開口する隙間は、ガイドピン１１０により完全に塞ぐことができる。これにより、切り欠き１０４Ｌ，１０４Ｒを設けてもフェルールの防水性を維持できる。また、切り欠き１０４Ｌ，１０４Ｒからレンズ９４近傍に異物が入ることも防止でき、レンズ９４を保護できる。
【００６０】
［変形例］
図１２、図１３を参照して第１変形例について説明する。図１２は、第１変形例に係るレンズ付きフェルール３１の斜視図である。図１３は、第１変形例のレンズ付きフェルール３１とＭＴフェルール３２との接続状態の斜視図である。
【００６１】
図１２に示すように、突合せ面９１の外周の全体に亘ってｘ軸正方向側に掘り下げた切り欠き１１１（外周切り欠き）を設けてもよい。図１３に示すように、レンズ付きフェルール３１がＭＴフェルール３２と接続されるときは、切り欠き１１１が接続部分の周方向の全体に亘って溝を形成する。この溝に接着剤を埋めることによって、レンズ付きフェルール３１とＭＴフェルール３２との隙間をより確実に塞ぐことができ、また、レンズ付きフェルール３１とＭＴフェルール３２との接続をより強固にできる。
【００６２】
図１４、図１５を参照して第２変形例について説明する。図１４は、第２変形例に係るレンズ付きフェルール３１の斜視図である。図１５はレンズ付きフェルール３１の正面図である。
【００６３】
図１４、図１５に示すように、切り欠き１０４Ｌ，１０４Ｒと交差し、かつ挿通孔９５の中心と交差する切り欠き１１２Ｌ，１１２Ｒ（縦切り欠き）を設けてもよい。切り欠き１１２Ｌ，１１２Ｒは、ｚ軸に平行に突合せ面９１から切り欠き１０４Ｌ，１０４Ｒと同じ深さまで掘り下げて形成される。つまり、切り欠き１１２Ｌ，１１２Ｒは切り欠き１０４Ｌ，１０４Ｒと略十字状の断面を形成する。また、切り欠き１１２Ｌ，１１２Ｒの底面１１３Ｌ，１１３Ｒは、切り欠き１０４Ｌ，１０４Ｒの底面１０５Ｌ，１０５Ｒとｘ軸方向の位置が同一である。
【００６４】
したがって、切り欠き１１２Ｌ，１１２Ｒの底面１１３Ｌ，１１３Ｒもスリット位置基準面として適用できる。これにより、スリット位置基準面を増やすことができる。スリット位置の計測基準となる挿通孔９５の中心ＳＬ２，ＳＲ２は、例えば挿通孔９５の輪郭線のうちスリット位置基準面に含まれる部分の形状や位置に基づき計測される。このため、図１４、図１５の例のようにスリット位置基準面を増やせば、挿通孔９５の輪郭線のうちスリット位置基準面に含まれる部分も増えるので、より精度良く挿通孔９５の中心ＳＬ２，ＳＲ２を計測することが可能となる。スリット位置の計測基準となる挿通孔９５の中心ＳＬ２，ＳＲ２の計測精度が向上することにより、スリット９７の位置計測の精度を向上できる。
【００６５】
以上、具体例を参照しつつ本実施形態について説明した。しかし、本開示はこれらの具体例に限定されるものではない。これら具体例に、当業者が適宜設計変更を加えたものも、本開示の特徴を備えている限り、本開示の範囲に包含される。前述した各具体例が備える各要素およびその配置、条件、形状などは、例示したものに限定されるわけではなく適宜変更することができる。前述した各具体例が備える各要素は、技術的な矛盾が生じない限り、適宜組み合わせを変えることができる。
【００６６】
上記実施形態では底面９９Ｌ，９９Ｒをレンズ位置基準面とし、底面１０５Ｌ，１０５Ｒをスリット位置基準面とする構成を例示したが、レンズ位置基準面またはスリット位置基準面として他の面を用いてもよい。
【００６７】
上記実施形態の底面９９Ｌ，９９Ｒ、溝１００Ｌ，１００Ｒ、切り欠き１０２Ｌ，１０２Ｒ、切り欠き１０４Ｌ，１０４Ｒ、突起１０６Ｌ，１０６Ｒのうち一部を備えない構成としてもよい。
【００６８】
上記実施形態では、突合せ面９１のリブ１０７の両側に二つの凹部９２Ｌ，９２Ｒを配置する構成を例示したが、中央にリブ１０７を設けずに単一の凹部としてもよい。
【符号の説明】
【００６９】
３１    レンズ付きフェルール
３２    ＭＴフェルール（他のフェルール）
９１    突合せ面
９２Ｌ，９２Ｒ    凹部
９３Ｌ，９３Ｒ    底面（中央側底面）
９４    レンズ
９５    挿通孔
９７    スリット
９９Ｌ，９９Ｒ    底面（外側底面、レンズ位置基準面）
１００Ｌ，１００Ｒ    溝
１０２Ｌ，１０２Ｒ    切り欠き（中央切り欠き）
１０４Ｌ，１０４Ｒ    切り欠き（側部切り欠き）
１０５Ｌ，１０５Ｒ    底面（スリット位置基準面）
１０６Ｌ，１０６Ｒ    突起
１０７    リブ
１１０    ガイドピン
１１１    切り欠き（外周切り欠き）
１１２Ｌ、１１２Ｒ    切り欠き（縦切り欠き）
【図１】
2020042138.tif 000003
【図２】
2020042138.tif 000004
【図３】
2020042138.tif 000005
【図４】
2020042138.tif 000006
【図５】
2020042138.tif 000007
【図６】
2020042138.tif 000008
【図７】
2020042138.tif 000009
【図８】
2020042138.tif 000010
【図９】
2020042138.tif 000011
【図１０】
2020042138.tif 000012
【図１１】
2020042138.tif 000013
【図１２】
2020042138.tif 000014
【図１３】
2020042138.tif 000015
【図１４】
2020042138.tif 000016
【図１５】
2020042138.tif 000017